(57)【特許請求の範囲】
【請求項１】
映像表示装置であって、
入力される信号を非線形変換する変換回路と、
入力される信号から表示画面の明るさを示す表示輝度特徴値を検出する表示輝度特徴値検出回路と、
前記変換回路の出力が入力され、前記表示輝度特徴値に基づいて、該入力される信号を調整する調整回路と、
文字情報を重畳して表示するための信号もしくはアイコンを重畳して表示するための信号を、入力される信号と合成する合成回路と、を有し、
前記合成回路を前記調整回路の後段に配し、
前記表示輝度特徴値検出回路を前記変換回路の後段かつ前記合成回路の後段に配し、
前記表示輝度特徴値検出回路は、前記文字情報もしくは前記アイコンが重畳されている状態の前記表示画面の明るさを示す表示輝度特徴値を検出するものであり、
前記合成回路の出力に基づいて映像を表示する映像表示装置。
【請求項２】
前記調整回路は、順次検出される複数の表示輝度特徴値に基づいて得られる値に基づいて、入力される信号を調整する調整回路である請求項1に記載の映像表示装置。
【請求項３】
前記調整回路は、更に画質調整にかかわる輝度制御値に基づいて、入力される信号を調整する調整回路である請求項１又は２に記載の映像表示装置。
【請求項４】
前記表示輝度特徴値は、所定期間の表示信号の総和または平均値である請求項１乃至３のいずれかに記載の映像表示装置。
【請求項５】
前記表示輝度特徴値は、所定期間の表示信号のうち、所定値を超える信号の数である請求項１乃至３のいずれかに記載の映像表示装置。
【請求項６】
前記表示輝度特徴値は、所定期間の表示信号の色別の総和もしくは平均値である請求項１乃至３のいずれかに記載の映像表示装置。
【請求項７】
前記表示輝度特徴値は、所定期間の表示信号の輝度成分の総和または平均値である請求項１乃至３のいずれかに記載の映像表示装置。
【請求項８】
前記表示輝度特徴値は、１画面のうち特定の領域の表示信号の統計値である請求項１乃至３のいずれかに記載の映像表示装置。
【請求項９】
前記映像表示装置の画素は、
マトリクス状に配置された表示素子で構成される請求項１乃至８のいずれかに記載の映像表示装置。
【請求項１０】
前記表示素子は電子放出素子であり、前記表示輝度特徴値検出回路は、前記電子放出素子から放出される放出電流値に基づいて前記表示輝度特徴値を出力するものである請求項９に記載の映像表示装置。
【発明の詳細な説明】
【０００１】
【発明の属する技術分野】
本発明は映像表示装置に関する。
【０００２】
【従来の技術】
映像表示装置として、ＡＢＬ回路やコントラスト調整回路を有するものが知られている。特に、ビーム集中や消費電力の抑制等の目的で、画面の平均表示輝度が大きくなりすぎないように制御を行うＡＢＬが知られている。
【０００３】
【特許文献１】
特開２０００−２２１９４１
【０００４】
特許文献１には、ＡＢＬを行う構成が開示されている。ここでは自動輝度制御回路を用い、ＰＤＰの画面上に表示される画像の平均輝度が所定の輝度範囲内に収まるように、Ａ／Ｄ変換器から順次供給されてくる各画素毎の画素データに対して輝度レベルの調整を行う。ここでの輝度レベルの調整は、各サブフィールドでの発光回数の比を非線形に設定して逆ガンマ補正を行う前に行われる。
【０００５】
【発明が解決しようとする課題】
映像信号は一般に、ＣＲＴディスプレイ装置で表示することを前提として、図１１に示すような、ＣＲＴディスプレイの入力−発光特性に合わせたガンマ変換と呼ばれる０．４５乗などの非線形変換が施されて伝送あるいは記録されている。その映像信号を、ＳＥＤ、ＦＥＤ、ＰＤＰなどで入力−発光特性が線形な表示を行う場合には、入力信号に対して、図１２に示すような２．２乗などの逆ガンマ変換を施す。ＬＣＤなどでその他の入力−発光特性の表示を行う場合には、その表示デバイスに合った変換を施す。
【０００６】
ＳＥＤ、ＦＥＤ、ＰＤＰ、ＬＣＤなどの、入力信号に対してＣＲＴと異なる発光特性をもつディスプレイ装置を用いた標準的な映像表示装置に搭載される映像信号処理装置のブロック図を図１３に示す。実際の映像信号処理装置は、他にも多くの処理回路から構成されているが、同図では、本発明に関するブロックのみ抜粋して示している。
【０００７】
図１３に示す映像信号処理装置は、Ａ／Ｄ変換器１００１、信号処理部１００２、平均輝度検出部１００３及びゲイン計算部１００４を備える。Ａ／Ｄ変換器１００１はアナログの入力映像信号ｓ１０１を入力してデジタル映像信号ｓ１０２を出力する。信号処理部１００２はデジタル映像信号ｓ１０２を入力して逆ガンマ変換、輝度・色度調整、輪郭強調処理などの信号処理を施して表示信号ｓ１０３を出力する。平均輝度検出部１００３はデジタル映像信号ｓ１０２を入力してフレーム毎の平均輝度を検出して平均輝度信号ｓ１０４を出力する。ゲイン計算部１００４は平均輝度信号ｓ１０４を入力して輝度制御信号ｓ１０５を出力する。
【０００８】
Ａ／Ｄ変換器１００１、信号処理部１００２、平均輝度検出部１００３、ゲイン計算部１００４は、各々不図示のタイミング制御部が入力映像信号ｓ１０１の同期信号をもとに発生する各種タイミング信号に基づいて動作する。
【０００９】
ところが、図１３の構成においては、平均輝度はデジタル映像信号ｓ１０２を集計して得られるのに対し、実際にディスプレイ装置に表示される映像は、デジタル映像信号ｓ１０２に逆ガンマ変換をはじめとする種々の信号処理を施された表示信号ｓ１０３である。特に逆ガンマ変換では、図１２に示すような２．２乗などの非線形変換を行うため、平均輝度が大きく低下する上、デジタル映像信号ｓ１０２の平均輝度と、逆ガンマ変換後の表示信号ｓ１０３の平均輝度とは、一対一に対応するものではない。そのため、平均輝度検出部１００３で検出される平均輝度信号ｓ１０４は、実際にディスプレイ装置に表示される平均輝度に対して誤差があり、正確な平均輝度情報を得ることができなかった。
【００１０】
本願発明は、かかる従来技術の課題を解決するためになされたものであって、その目的は、非線形変換を行う映像表示装置において、入力信号の調整を好適に行える構成を実現することにある。
【００１１】
【課題を解決するための手段】
本願に係る第1の発明は以下のように構成される。すなわち、
映像表示装置であって、
入力される信号を非線形変換する変換回路と、
入力される信号から表示画面の明るさを示す表示輝度特徴値を検出する表示輝度特徴値検出回路と、
前記変換回路の出力が入力され、前記表示輝度特徴値に基づいて、該入力される信号を調整する調整回路と、
を有し、
前記表示輝度特徴値検出回路を前記変換回路の後段に配し、
前記調整回路の出力に基づいて映像を表示する映像表示装置、である。
【００１２】
【発明の実施の形態】
本願に係る発明では、輝度という用語を用いているが、これはパルス幅変調方式を用いて表示を行う場合のように、視覚上で輝度が所定期間（パルス幅変調の場合はこの所定期間が変調される）加算されることによって階調表示が実現される構成をも包含する用語として用いている。
【００１３】
なお、本願に係る発明においては、調整回路には変換回路の出力が入力信号として入力されるが、変換回路からの出力を直接入力する必要はなく、他の回路（必要に応じて所望の演算を行う回路）を間に介して間接的に入力するようにしても良い。
【００１４】
本願に係る第１の発明の好適な態様として、種々の構成を採用できる。
【００１５】
第２の発明として、前記第１の発明において、前記調整回路として、順次検出される複数の表示輝度特徴値に基づいて、入力される信号を調整する調整回路を用いる構成を本願は含んでいる。特には、順次検出される表示輝度特徴値を一連の変動する信号とみなし、該信号の高周波成分をローパスフィルタ処理を行って高周波成分をカットするなどによりなまらせて得た値を用いる構成を好適に採用できる。すなわち本願は、前記複数の表示輝度特徴値の高周波成分をなまらせた値に基づいて、入力される信号を調整する調整回路を採用する発明を含んでいる。また具体的には、前記複数の表示輝度特徴値にフィルタ処理、特に具体的にはローパスフィルタ処理を施して得た値に基づいて調整する調整回路を採用する発明を含んでいる。
【００１６】
また、第３の発明として、第１又は第２の発明において、前記調整回路として、更に画質調整にかかわる輝度制御値に基づいて、入力される信号を調整する調整回路を用いる発明を本願は含んでいる。
【００１７】
また第４の発明として、第１乃至第３のいずれかの発明において、前記表示輝度特徴値が、所定期間の表示信号の総和または平均値である発明を本願は含んでいる。
【００１８】
また第５の発明として、第１乃至第３のいずれかの発明において、前記表示輝度特徴値が、所定期間の表示信号のうち、所定値を超える信号の数である発明を本願は含んでいる。
【００１９】
また第６の発明として、第１乃至第３のいずれかの発明において、前記表示輝度特徴値が、所定期間の表示信号の色別の総和もしくは平均値である発明を本願は含んでいる。
【００２０】
また第７の発明として、第１乃至第３のいずれかの発明において、前記表示輝度特徴値が、所定期間の表示信号の輝度成分の総和または平均値である発明を本願は含んでいる。
【００２１】
ここで以上述べた各発明における所定期間としては、１フレーム期間や１フィールド期間を好適に採用できる。
【００２２】
また第８の発明として、第１乃至第３のいずれかの発明において、前記表示輝度特徴値が、１画面のうち特定の領域の表示信号の統計値である発明を本願は含んでいる。
【００２３】
ここでこの統計値としては、先に述べたように、表示信号や表示信号の輝度成分の総和や平均値、もしくはそれらを色毎に検出した値、所定値を越える信号の数などを用いることができる。
【００２４】
すなわち、本願に係る発明における表示輝度特徴値としては、表示された時の明るさの程度を反映する値であれば種々の値を用いることができる。
【００２５】
また第９の発明として、各画素を複数の表示素子によって形成する構成を上記各発明において採用した構成を本願は含んでいる。特には、複数の表示素子をマトリクス状に配置した構成を好適に採用できる。
【００２６】
すなわち、本願に係る発明は、上記各発明において、複数の画素を複数の表示素子を用いて形成する構成において特に好適に採用できる。具体的には、表示素子としては、電子放出素子、特には冷陰極素子、エレクトロルミネセンス素子、プラズマ表示素子、液晶素子を好適に採用することができる。特にこれらの表示素子をマトリクス状に配置した構成を特に好適に採用できる。
【００２７】
なお、本願に係る発明は、前記表示輝度特徴値検出回路を前記変換回路の後段に配するものであるが、前記表示輝度特徴値検出回路を前記変換回路の後段に配するとは、前記変換回路によって変換された結果を反映する信号を入力信号として表示輝度特徴値検出回路に入力することを意味するものである。具体的には、変換回路の出力を表示輝度特徴値検出回路に直接もしくは間接的に入力する構成や、変換回路の出力に基づいて表示を行った結果得られる信号を入力信号として表示輝度特徴値検出回路に入力する構成を採用できる。後者としては、例えば表示素子として電子放出素子を採用し、前記変換回路の出力に基づいて電子放出素子を駆動した結果得られる放出電流値を検出し、該検出結果を表示輝度特徴値検出回路への入力信号として、表示輝度特徴値を出力する構成を好適に採用できる。前記放出電流値は例えば電子放出素子から放出される電子を加速する電位が与えられた電極に入射される電流量として検出することが可能である。また電子放出素子からの放出電流値を検出するのみでなく、表示素子に流れる電流値を検出した結果を表示輝度特徴値検出回路への入力信号としても良い。
【００２８】
なお、以上及び以下では、本願に係る発明を構成する各回路について説明しているが、これらの回路は、トランジスタや抵抗などの素子を一つ乃至複数用いて構成できるものである。またこれらの回路を集積し、集積回路として実現してもよい。
【００２９】
以下、本発明を図示の実施形態に基づいて詳細に説明する。
【００３０】
（第１の実施形態）
図１に本発明の第１の実施形態に係る映像表示装置に適用される映像信号処理装置の構成を示す。図１は、図１３に対応するブロックのみ抜粋して示している。
【００３１】
（映像信号処理装置の主要構成）
映像信号処理装置１００は、図１に示すように、Ａ／Ｄコンバータ１、変換テーブル２、乗算器３、フレーム特徴値検出部４およびゲイン計算部５を備える。
【００３２】
Ａ／Ｄコンバータ１は、入力された映像信号ｓ１をデジタル映像信号ｓ２に変換する。ここでは映像信号ｓ１は、ＲＧＢなど、適用するディスプレイ装置の原色に対応した信号とする。映像信号ｓ１が輝度・色差信号の場合には、不図示の色マトリクス回路を用いて、原色信号に変換する。変換回路としての変換テーブル２は、ＲＯＭ、ＲＡＭなどのメモリで構成され、Ａ／Ｄコンバータ１が出力するデジタル映像信号ｓ２を入力としてメモリのアドレスに対応させ、変換結果を各アドレスに対応するデータとして格納しておくことにより、変換後の信号ｓ３を出力する。変換テーブル２の変換特性としては、図１２と同様のものを用いる。乗算器３は、変換テーブル２が出力する信号ｓ３に、後述するゲイン計算部５から設定されるゲインｓ６を乗算し、表示信号ｓ４を出力する。表示輝度特徴値検出回路としてのフレーム特徴値検出部４は、乗算器３が出力する表示信号ｓ４を入力してフレーム毎の平均値を検出し、表示輝度特徴値である平均輝度信号ｓ５を出力する。ゲイン計算部５は、平均輝度信号ｓ５を入力して、あらかじめ定められている輝度基準値と比較することにより、平均輝度が輝度基準値を上回っている場合には輝度を抑制するようなゲインｓ６を計算して出力し、乗算器３に入力する。ここでは、乗算器３およびゲイン計算部５により調整回路が構成される。
【００３３】
Ａ／Ｄコンバータ１、変換テーブル２、乗算器３、フレーム特徴値検出部４およびゲイン計算部５は、各々不図示のタイミング制御部が入力映像信号ｓ１の同期信号をもとに発生する各種タイミング信号に基づいて動作する。
【００３４】
以下に、本実施形態における映像信号処理方法のうち、ゲイン計算部５におけるゲイン算出の方法を以下に述べる。
【００３５】
フレーム特徴値検出部４で検出した現フレームの平均輝度をＢ（ｔ）、あらかじめ定められた輝度基準値をＢ０としたとき、ゲイン計算部５では、式１を用いてゲインＧ（ｔ）を求める。
【００３６】
【数１】
0003720813.tif 000002
ここで、Ｇ（ｔ−１）は、前回出力したゲインであり、ＭＩＮ（ａ，ｂ）はａとｂの小さい方の値を返す関数である。
【００３７】
このＧ（ｔ）を、乗算器３で信号ｓ３に乗算することにより、ディスプレイ装置に表示される表示信号ｓ４の平均輝度は、輝度基準値以下に抑制される。
【００３８】
上述の説明では、フレーム特徴値検出部４はフレーム毎の表示信号の平均値を検出するとしたが、表示信号の総和、所定値を超える表示信号の数、色別の平均値または総和、各色表示信号の輝度成分の総和または平均値などの統計値を検出してゲイン計算部５に出力してもよい。また、１画面を複数の領域に分け、領域別あるいは中心部のみについて上記のような統計値を用いる構成をとってもよい。
【００３９】
以上説明したように、本発明によれば、実際の表示信号からフレーム特徴値を得るので、正確な輝度評価値を得ることができるとともに、速やかに収束させることができるので、逐次平均輝度が変化する動画像においても良好なＡＢＬ制御が可能となる。
【００４０】
（映像表示装置の全体構成）
図２に、本発明の映像表示装置全体の構成を示す。同図において、一点鎖線で囲まれた部分が、図１で説明した映像信号処理装置１００であって、図１では省略した構成も図示してある。図１と同様の構成については同一の符号を付して説明を省略する。
【００４１】
映像信号処理装置１００は、図１に示した構成に加えて、輪郭強調回路７、色マトリクス変換回路８、加算器９、文字情報合成回路１０を備える。
【００４２】
輪郭強調回路７は、入力した映像信号のエッジを強調する処理を行う。色マトリクス変換回路８は、入力映像信号が輝度・色差信号の場合には、ＲＧＢ信号に変換する。ただし、入力映像信号がＲＧＢ信号の場合には色マトリクス回路８は上記変換処理を行わない。加算器９は、システム制御部２１が設定するオフセット値を各信号に加算する。加算器９による処理は、主にブライトネス調整などに用いられる。文字情報合成回路１０は、一般にＯＳＤ（On Screen Display）と呼ばれ、システム制御部２１の設定に応じて、文字情報やアイコンなどを映像信号に重畳する。文字情報合成回路１０は、ＡＢＬ制御や画質調整によって合成する文字やアイコンの輝度が変わると視覚的に違和感があるので、乗算器３および加算器９の影響を受けないよう、これらの後段に配置する。近年、文字情報合成回路１０で合成する情報が大面積に及ぶようになっており、表示信号全体に占める割合が大きくなっているため、フレーム特徴値検出部４は、文字情報合成回路１０よりも後段に配置する。
【００４３】
映像表示装置は、映像信号処理装置１００に加えて、表示パネル１１、ＰＷＭパルス制御部１２、Ｖｆ制御部１３、列配線スイッチ部１４、行選択制御部１５、行配線スイッチ部１６、高圧発生部１７、ユーザインターフェース回路２０、システム制御部２１およびタイミング制御部２２を備える。
【００４４】
表示パネル１１として、本例では、薄型の真空容器内に、基板上に多数の電子源例えば冷陰極素子である表面伝導型電子放出素子を配列してなるマルチ電子源と、電子の照射により画像を形成する画像形成部材とを対向して備えたＳＥＤパネルを用いた。電子放出素子が行方向配線電極と列方向配線電極により単純マトリクス状に配線されており、列／行電極バイアスにより選択された素子から放出される電子を高圧電圧により加速し蛍光体に衝突させることで発光を得ている。ＳＥＤパネルの構成と製造法については、本出願人に係る特開２０００−２５０４６３などに詳しく開示されている。
【００４５】
ＰＷＭパルス制御部１２は、表示信号を表示パネル１１に適応した駆動信号に変換する。Ｖｆ制御部１３は、表示パネル１１に配置されている素子を駆動する電圧を制御する。列配線スイッチ部１４は、トランジスタなどのスイッチ手段により構成され、毎水平１周期（行選択期間）毎にＶｆ制御部１３からの駆動出力をＰＷＭパルス制御部１２から出力されるＰＷＭパルス期間だけパネル列電極に印加する。行選択制御部１５は、表示パネル１１上の素子を駆動する行選択パルスを発生する。行配線スイッチ部１６は、トランジスタなどのスイッチ手段により構成され、行選択制御部１５から出力される行選択パルスに応じたＶｆ制御部１３からの駆動出力を表示パネル１１に出力する。高圧発生部１７は、表示パネル１１に配置されている電子放出素子から放出された電子を蛍光体に衝突させるために加速する加速電圧を発生する。
【００４６】
ユーザインターフェース回路２０で、コントラスト、ブライトネスなどを含む画質調整値を、システム制御部２１に入力する。システム制御部２１は、システム全体を監視および制御するとともに、入力映像信号やユーザインターフェース回路２０から入力される画質調整値に応じて、映像信号処理装置１００の各ブロックの動作設定を行う。タイミング制御部２２は、入力映像信号の同期信号および／またはシステム制御部２１から設定値に基づいて、映像信号処理装置１００内の各ブロックならびに列配線および行配線を駆動する回路１２〜１６にも、それぞれのブロックの動作のための各種タイミング信号を出力する。
【００４７】
（映像表示動作）
通常の映像表示動作時においては、入力された映像信号ｓ１は映像信号処理装置１００に入力され、表示信号ｓ４に変換される。表示信号ｓ４は、ＰＷＭパルス制御部１２にて水平１周期（行選択期間）毎にシリアル／パラレル変換され、各列毎にＰＷＭ変調される。ＰＷＭ変調されたパルスは列配線スイッチ部１４に出力される。
【００４８】
表示パネル１１の行選択は、行選択制御部１５が、垂直有効表示期間の先頭に合せたスタートパルスを行選択期間毎に順次シフトした信号をもとに行配線スイッチ部１６に選択パルスを出力することにより行われる。
【００４９】
以上により、表示パネル１１が駆動されて映像が表示される。
【００５０】
なお、入力映像信号がデジタル映像信号である場合には、Ａ／Ｄコンバータ１は不要である。
【００５１】
本実施の形態は、ディスプレイ装置としてＳＥＤパネルを用いて説明したが、ＦＥＤ、ＰＤＰ、エレクトロルミネセンスなど、表示パネルそのものの構造には関係なく適用することができる。
【００５２】
また、本実施の形態では、デジタル信号処理の場合について説明したが、同様の機能をアナログ回路で実現してもよく、その場合には、Ａ／Ｄコンバータ１は不要となり、個々の処理回路をアナログ回路で実現すればよい。
【００５３】
（第２の実施の形態）
図３に、本発明の第２の実施形態に係る映像表示装置に適用される映像信号処理装置の構成を示す。映像表示装置全体の構成のうち、映像信号処理装置１００以外の構成については図２と同じである。図１と同様の構成については同一の符号を付して説明を省略する。
【００５４】
第１の実施の形態では、フレーム特徴値検出部４の出力をゲイン計算部５に入力していたが、本実施の形態では、平均輝度信号ｓ５をローパスフィルタ（ＬＰＦ）３１に入力し、その出力ｓ３１をゲイン計算部５に入力している。ここでは、ローパスフィルタ３１、乗算器３およびゲイン計算部５により調整回路が構成される。
【００５５】
ローパスフィルタ３１は、平均輝度信号ｓ５の高周波成分をカットし、入力映像のフレーム毎の細かな変化によるゲインｓ６の変化を抑えて、結果的に視覚的な妨害感を防ぐものである。
【００５６】
このように本実施形態では、図１に示す第１の実施形態に係る映像信号処理装置１００にローパスフィルタ３１を加えた構成により上記した効果を実現している。しかし、図１に示した構成を用いても、ゲイン計算部５の処理において、式１に代えて式２を用いることにより、図３で示した映像信号処理装置と同等の結果を得ることができる。
【００５７】
【数２】
0003720813.tif 000003
ここで、ｆ（ｘ）は、ローパスフィルタ３１の特性と同等の関数であり、過去のフレームの平均輝度を複数入力して、フィルタ後の出力を得る。
【００５８】
（第３の実施形態）
図４に、本発明の第３の実施形態に係る映像表示装置に適用される映像信号処理装置の構成を示す。映像表示装置全体の構成のうち、映像信号処理装置１００以外の構成については図２と同じである。図１と同様の構成については同一の番号を付して説明を省略する。
【００５９】
第１の実施形態では、ゲイン計算部５の出力を乗算器３に入力していたが、本実施形態では、ゲインｓ６をローパスフィルタ４１に入力し、その出力ｓ４１を乗算器３に入力している。ここでは、ゲイン計算部５、ローパスフィルタ４１および乗算器３が調整回路を構成している。
【００６０】
ローパスフィルタ４１は、ゲインｓ６の高周波成分をカットし、入力映像のフレーム毎の細かな変化による影響を抑えて、結果的に視覚的な妨害感を防ぐものである。
【００６１】
このように本実施形態では、図１に示す第１の実施形態に係る映像信号処理装置１００にローパスフィルタ４１を加えた構成により上記した効果を実現している。しかし、図１に示した構成を用いても、ゲイン計算部５の処理において、式１に代えて式３を用いることにより、図４で示した映像信号処理装置と同等の結果を得ることができる。
【００６２】
【数３】
0003720813.tif 000004
ここで、ｆ’（ｘ）は、ローパスフィルタ４１の特性と同等の関数であり、過去のフレームのゲインＧを複数入力して、フィルタ後の出力を得る。乗算器３へは、Ｇ’（ｔ）を出力する。
【００６３】
（第４の実施の形態）
図５に、本発明の第４の実施形態に係る映像表示装置の構成を抜粋したブロック図を示す。映像表示装置全体の構成は、図２と同じである。図１および図２と同様の構成については同一の符号を付して説明を省略する。
【００６４】
本実施の形態では、ゲイン計算部５に、平均輝度信号ｓ５の他に、コントラスト調整信号ｓ２１が入力される。画質調整に関わる輝度制御値としてのコントラスト調整信号ｓ２１は、ユーザインターフェース２０を用いて設定され、システム制御部２１で規格化されるなどして、ゲイン計算部５に与えられる。
【００６５】
ゲイン計算部５では、式１で求めたゲインＧ（ｔ）とコントラスト調整信号ｓ２１のうち、小さい方の値を乗算器３に出力する。あるいは、ゲイン計算部５が、ゲインＧとコントラスト調整信号Ｓ２１を乗算して出力するようにしてもよい。
【００６６】
また、第２、第３の実施形態のような、ローパスフィルタを含む構成に対しても、同様にして、コントラスト調整信号などの画質調整信号を入力して輝度調整を行うことができる。
【００６７】
（参考例１）
図６に、参考例１の映像表示装置に適用される映像信号処理装置の構成を示す。また、映像表示装置全体の構成を図７に示す。映像信号処理装置１００内の構成要素の順序が図２と異なっているが、構成要素は全て図２と同様なので、同一の符号を付して説明を省略する。
【００６８】
本参考例においては、フィードフォワード制御系なので、ゲイン算出は式４による。
【００６９】
【数４】
0003720813.tif 000005
これにより、第１の実施形態よりも簡単な演算で、良好なＡＢＬが実現できる。ただし、図７の構成の場合、文字情報合成回路１０よりも前段からフレーム特徴値を検出しているので、映像信号に重畳する文字情報やアイコンなどが占める表示面積が小さいシステムに好適である。
【００７０】
また、図６で規定していない映像信号処理装置１００内の構成要素の順序は、図６に示したものに限ったものではない。
【００７１】
（参考例２）
図８に、参考例２に係る映像表示装置に適用される映像信号処理装置の構成を示す。映像表示装置全体の構成のうち、映像信号処理装置１００以外の構成については図７と同じである。図６と同様の構成については同一の符号を付して説明を省略する。
【００７２】
参考例１では、フレーム特徴値検出部４の出力をゲイン計算部５に入力していたが、本参考例では、平均輝度信号ｓ５をローパスフィルタ７１に入力し、その出力ｓ７１をゲイン計算部５に入力している。ここでは、ローパスフィルタ７１、ゲイン計算部５および乗算器３が調整回路を構成している。
【００７３】
ローパスフィルタ７１は、平均輝度信号ｓ５の高周波成分をカットし、入力映像のフレーム毎の細かな変化によるゲインｓ６の変化を抑えて、結果的に視覚的な妨害感を防ぐものである。
【００７４】
このように本参考例では、図６に示す参考例１に係る映像信号処理装置１００にローパスフィルタ７１を加えた構成により上記した効果を実現している。しかし、図６に示した構成を用いても、ゲイン計算部５の処理において、式４に代えて式５を用いることにより、図８で示した映像信号処理装置と同等の結果を得ることができる。
【００７５】
【数５】
0003720813.tif 000006
ここで、ｆ（ｘ）は、ローパスフィルタ７１の特性と同等の関数であり、過去のフレームの平均輝度を複数入力して、フィルタ後の出力を得る。
【００７６】
（参考例３）
図９に、参考例３の映像表示装置に適用される映像信号処理装置の構成を示す。映像表示装置全体の構成のうち、映像信号処理装置１００以外の構成については図７と同じである。図６と同様の構成については同一の符号を付して説明を省略する。
【００７７】
参考例１では、ゲイン計算部５の出力を乗算器３に入力していたが、本参考例３では、ゲインｓ６をローパスフィルタ８１に入力し、その出力ｓ８１を乗算器３に入力している。ここでは、ゲイン計算部５、ローパスフィルタ７１および乗算器３が調整回路を構成している。
【００７８】
ローパスフィルタ８１は、ゲインｓ６の高周波成分をカットし、入力映像のフレーム毎の細かな変化による影響を抑えて、結果的に視覚的な妨害感を防ぐものである。
【００７９】
このように本参考例では、図６に示す参考例１に係る映像信号処理装置１００にローパスフィルタ８１を加えた構成により上記した効果を実現している。しかし、図６に示した構成を用いても、ゲイン計算部５の処理において、式４に代えて式６を用いることにより、図９で示した映像信号処理装置と同等の結果を得ることができる。
【００８０】
【数６】
0003720813.tif 000007
ここで、ｆ’（ｘ）は、ローパスフィルタ４１の特性と同等の関数であり、過去のフレームのゲインＧを複数入力して、フィルタ後の出力を得る。乗算器３へは、Ｇ’（ｔ）を出力する。
【００８１】
また、参考例１〜参考例３についても、第４の実施の形態同様、コントラスト調整などの画質調整信号を入力して輝度調整を行うことができる。
【００８２】
（第５の実施の形態）
図１０に、本発明の第５の実施の形態に係る映像表示装置の構成を示す。図１および図２と同様の構成については、同一の符号を付して説明を省略する。
【００８３】
先の実施形態では、所定期間における統計値として１フレーム期間の平均輝度を表示輝度特徴値として用いる構成を開示しているが、本実施の形態では、高圧発生部１７が表示輝度特徴値検出回路を兼ねており、表示輝度特徴値として高圧電流値信号ｓ７１を出力する。すなわち、先の実施形態における平均輝度信号ｓ５の代わりに、表示輝度特徴値として高圧発生部１７から得られる高圧電流値信号ｓ７１をゲイン計算部５に入力する。高圧電流は、ＳＥＤパネルの場合、発光量にほぼ比例して増減するので、電子放出素子から放出される放出電流値である高圧電流信号ｓ７１は平均輝度の尺度として好適に利用することができる。ゲイン計算部５以降の処理は、第1の実施形態と同様である。
【００８４】
また、高圧電流値信号ｓ７１にローパスフィルタをかけてゲイン算出してもよく、計算されたゲインにローパスフィルタをかけて乗算器３に入力してもよい。また所定期間における高圧電流値の統計値を表示輝度特徴値としてゲイン計算部に出力するようにしても良い。
【００８５】
本実施形態によれば、実際の高圧電流を平均輝度の尺度として用いるので、正確な輝度評価値を得ることができるとともに、速やかに収束させることができるので、逐次平均輝度が変化する動画像においても良好なＡＢＬ制御が可能となる。
【００８６】
以上説明した各実施形態によれば、正確な平均輝度情報を得て、良好なＡＢＬ制御を実現する映像表示が可能となる。
【００８７】
【発明の効果】
以上説明したように、本願発明によれば、非線形変換を行う映像表示装置において、好適な映像の調整を実現することができる。
【図面の簡単な説明】
【図１】第１の実施の形態の映像信号処理装置のブロック図である。
【図２】本発明の映像表示装置の構成を示す図である。
【図３】第２の実施の形態の映像信号処理装置のブロック図である。
【図４】第３の実施の形態の映像信号処理装置のブロック図である。
【図５】第４の実施の形態の映像信号処理装置のブロック図である。
【図６】参考例１の映像信号処理装置のブロック図である。
【図７】参考例１の映像表示装置の構成を説明する図である。
【図８】参考例２の映像信号処理装置のブロック図である。
【図９】参考例３の映像信号処理装置のブロック図である。
【図１０】第５の実施の形態の回路規模を説明するためのブロック図である。
【図１１】ガンマ変換を説明するためのグラフである。
【図１２】逆ガンマ変換を説明するためのグラフである。
【図１３】標準的な映像信号処理装置のブロック図である。
【符号の説明】
１                          Ａ／Ｄコンバータ
２                          変換テーブル
３                          乗算器
４                          フレーム特徴値検出部
５                          ゲイン計算部
１０                        文字情報合成回路
１１                        表示パネル
１７                        高圧発生部
２０                        ユーザインターフェース
２１                        システム制御部
３１、４１、７１、８１      ローパスフィルタ
１００                      映像信号処理装置
【図１】
0003720813.tif 000008
【図２】
0003720813.tif 000009
【図３】
0003720813.tif 000010
【図４】
0003720813.tif 000011
【図５】
0003720813.tif 000012
【図６】
0003720813.tif 000013
【図７】
0003720813.tif 000014
【図８】
0003720813.tif 000015
【図９】
0003720813.tif 000016
【図１０】
0003720813.tif 000017
【図１１】
0003720813.tif 000018
【図１２】
0003720813.tif 000019
【図１３】
0003720813.tif 000020